(57)【要約】      （修正有）【課題】包装作業がし易く、衣類のずれや包装形態の崩れも防止でき、衣類の特性や機能等をアピールし易い形態や機能を備えた衣類用パッケージを提供すること。【解決手段】全体が１枚のシートで構成され、上部を吊り下げ可能とされた衣類用パッケージ１であって、左右方向に折り曲げ可能に連設された表装片２及び裏装片３と、裏装片の上下に上下方向に折り曲げ可能に連設された上部中間片４と下部中間片５とを備え、下部中間片は、衣類Ａの上端側を裏装片側に折り込み状態で挟持するように折り曲げられ、かつ、上部中間片は、下部中間片の上から衣類の上端側を押圧挟持するように折り曲げられ、表装片と裏装片とは、上下部中間片で挟持された衣類を表裏から挟持した状態で折り目部から折り曲げて裏面側で連結保持可能とされている。【選択図】図１
2008273528.tif 000002
【特許請求の範囲】
【請求項１】
全体が１枚のシートで構成され、上部を吊り下げ可能とされた衣類用パッケージ（１）であって、
上下方向に沿う折り目部（６ａ、６ｂ）を介して左右方向に折り曲げ可能に連設された表装片（２）及び裏装片（３）と、前記裏装片（３）の上下に左右方向に沿う折り目部（４ｂ，４ｃ，５ａ）を介して上下方向に折り曲げ可能に連設された上部中間片（４）と下部中間片（５）とを備え、前記下部中間片（５）は、衣類（Ａ）の上端側を裏装片（３）側に折り込み状態で挟持するように折り曲げられ、かつ、前記上部中間片（４）は、前記下部中間片（５）の上から衣類（Ａ）の上端側を押圧挟持するように折り曲げられ、前記表装片（２）と裏装片（３）とは、前記上下部中間片（４，５）で挟持された衣類（Ａ）を表裏から挟持した状態で前記折り目部（６ａ、６ｂ）から折り曲げて裏面側で連結保持可能とされていることを特徴とする衣類用パッケージ。
【請求項２】
前記上部中間片（４）には、前記下部中間片（５）の上縁を裏面側に跨いで衣類（Ａ）を押圧挟持させるための舌状片（４ｅ）が切り起こし可能な状態で形成されていることを特徴とする請求項１に記載の衣類用パッケージ。
【請求項３】
前記表装片（２）は、左右方向寸法を前記裏装片（３）と同等とし、上下方向寸法を裏装片（３）と同等若しくは、裏装片（３）よりも大きい寸法とされ、下辺が飾り縁とされていることを特徴とする請求項１又は２に記載の衣類用パッケージ。
【請求項４】
前記表装片（２）には、衣類（Ａ）の特性や機能等のアピール点が、図形、記号、文字の何れか、或いは、これらの組み合わせで表示されていることを特徴とする請求項１〜３の何れか１項に記載の衣類用パッケージ。
【請求項５】
前記衣類（Ａ）は、下着であり、上部となるウエスト部が横幅方向に扁平に展開した状態で下部中間片（５）に前記折り込み状態で挟持され、衣類（Ａ）の下部が前記表装片（２）の下端から露出垂下した状態で包装されていることを特徴とする請求項１〜４の何れか１項に記載の衣類用パッケージ。
【発明の詳細な説明】
【技術分野】
【０００１】
本発明は、ガードル等の衣類の展示販売に用いられる衣類用パッケージに関するものである。
【背景技術】
【０００２】
一般に、衣類は、需要促進や販売促進、購買意欲喚起等のため、新素材の利用、着用性、体形補正等の各種の機能性向上や種々の改良が行われ、それらの改良がなされた衣類を展示販売するために、当該衣類用のパッケージも種々工夫されている。
例えば、従来、裏装片の左右両側に衣類吊り下げ片と表装片とを前面側に召し合わせ状態に折り曲げ可能に連設し、衣類吊り下げ片を先に裏装片の前面側に折り曲げて、この衣類吊り下げ片（の上縁）に衣類（靴下）を上下方向に２つ折り状態で吊り下げ、その上に表装片を折り重ねて、この表装片の端部の係止片を裏装片の裏面側の係止孔に差し込んで止めるようにし、裏装片の上端に形成したフック部で吊り下げるようにした靴下吊り下げ具が公知である（特許文献１参照）。
【０００３】
また、裏装片の上側に表装片を連設し、裏装片の左右両側に衣類吊り下げ片を連設し、表装片の左右両側に係止片を連設し、表装片の上側に商品押さえ片を連設した１枚の展開状態のシート上に、先ず、左右方向に２つ折りした衣類（トランクス等）を載せ、次に、裏装片の左右両側の衣類吊り下げ片を衣類上に折り重ね、続いて、衣類の上半部を衣類吊り下げ片上に折り重ね、さらにその上に表装片を折り重ね、その際、衣類押さえ片を内側に折り込み、表装片の左右両側の係止片を裏面側へ折り曲げて、裏装片の係止孔に差し込んで止めるようにし、裏装片の上端に形成したフック部で吊り下げるようにした展示品装着フックが公知である（特許文献２参照）。
【特許文献１】実開昭５６−４５５５号公報
【特許文献１】特開平１０−２３４５３６号公報
【発明の開示】
【発明が解決しようとする課題】
【０００４】
特許文献１のものは、パッケージ自体の構成が簡単で包装作業も手数が掛からない利点があるが、衣類の押圧保持力が不足し、衣類が下から引き抜けたり、上から引き抜けるなどの衣類のずれ動きによる包装形態の崩れが防止できない点で問題がある。
また、特許文献２のものは、衣類の押圧保持力は十分であり、衣類が下から引き抜けたり、上から引き抜けるなどの衣類のずれ動きによる包装形態の崩れを防止できる利点があるが、パッケージ全体の構成が複雑で包装作業も手数が掛かる点で問題がある。
特に、衣類は、その販売に際し、当該衣類の特性や機能等をアピールし易い形態や機能等を備えたパッケージが要求されるため、従来の既存のパッケージでは、このような要求を満たすことができない場合が多い。
【０００５】
本発明は、従来の衣類用パッケージの上記問題点に鑑みて開発されたもので、包装作業がし易く、衣類のずれや包装形態の崩れも防止でき、衣類の特性や機能等をアピールし易い形態や機能を備えた衣類用パッケージを提供することを目的としている。
【課題を解決するための手段】
【０００６】
前記目的を達成するために本発明は、全体が１枚のシートで構成され、上部を吊り下げ可能とされた衣類用パッケージであって、上下方向に沿う折り目部を介して左右方向に折り曲げ可能に連設された表装片及び裏装片と、前記裏装片の上下に左右方向に沿う折り目部を介して上下方向に折り曲げ可能に連設された上部中間片と下部中間片とを備え、前記下部中間片は、衣類の上端側を裏装片側に折り込み状態で挟持するように折り曲げられ、かつ、前記上部中間片は、前記下部中間片の上から衣類の上端側を押圧挟持するように折り曲げられ、前記表装片と裏装片とは、前記上下部中間片で挟持された衣類を表裏から挟持した状態で前記折り目部から折り曲げて裏面側で連結保持可能とされていることを特徴としている。
【０００７】
この構成によれば、衣類を次の順序で包装することができる。
即ち、裏装片を左、表装片を右にしてシート全体を展開状態で作業台上に裏向きにして載置する。
そして、下部中間片を上向きに折り上げ、その上に対象となる衣類を載せ、衣類の上端側を裏装片と下部中間片との間に折り込み状態で挟み込んで挟持させる。
次に、上部中間片を下向きに折り下げて衣類の上端側の折り返し部分を押さえる。
最後に、表装片を左側に向けて折り曲げて上部中間片を押さえ込み、表装片の自由端部を裏装片の裏面側で止めて連結保持させる。
【０００８】
これで包装が完了する。この包装によって、衣類は、上端側において、下部中間片の上端に折り曲げ状態で係止され、かつ、下部中間片を中間として裏装片と上部中間片とで挟持され、その上から表装片で押さえ込まれることになる。
従って、包装作業がし易く、包装した衣類のずれや包装形態の崩れも防止できる。
前記上部中間片には、前記下部中間片の上縁を裏面側に跨いで衣類を押圧挟持させるための舌状片が切り起こし可能な状態で形成されていることを特徴としている。
この構成によれば、舌状片によって衣類の上端側の折り返し部分を裏装片側から押圧力を付加して舌状片の切り起こし跡の窓孔部に衣類の一部を押し込んだ状態で押圧挟持させることができるため、包装した衣類のずれや包装形態の崩れを一層よく防止させることができる。
【０００９】
前記表装片は、左右方向寸法を前記裏装片と同等とし、上下方向寸法を裏装片と同等若しくは、裏装片よりも大きい寸法とされ、下辺が飾り縁とされていることを特徴としている。
この構成によれば、上下部中間片及び裏装片を表装片で覆い隠すことができ、包装形態の美観向上や特性表示面積の増加が図れる。
前記表装片には、衣類の特性や機能等のアピール点が、図形、記号、文字の何れか、或いは、これらの組み合わせで表示されていることを特徴としている。
【００１０】
この構成によれば、衣類の特性や機能等のアピール点を顧客に的確に伝えることができる。
前記衣類は、下着であり、上部となるウエスト部が横幅方向に扁平に展開した状態で下部中間片に前記折り込み状態で挟持され、衣類の下部が前記表装片の下端から露出垂下した状態で包装されていることを特徴としている。
この構成によれば、衣類が下着である場合、この下着の全体形状を顧客が容易に目視確認することができる状態に陳列展示することができ、触感や伸縮性、縫製状態等の確認も容易となり、その場合でも衣類のずれや包装形態の崩れも確実に防止することができる。
【発明の効果】
【００１１】
本発明によれば、包装作業がし易く、衣類のずれや包装形態の崩れも防止でき、衣類の特性や機能等をアピールし易い形態や機能を備えた衣類用パッケージを提供することができる。
【発明を実施するための最良の形態】
【００１２】
以下、本発明の実施の形態を図面に基づいて説明する。
本発明の衣類用パッケージ１は、展開状態の表面図である図３及び裏面図である図４に示すように、表装片２、裏装片３、上部中間片４、下部中間片５を主要構成部片として、これらが１枚の紙製又は樹脂製のシートで構成されている。
表装片２と裏装片３は、図３（表面図）及び図４（裏面図）に示すように、左右方向に連設されており、その間に一方（図３の表装片２の右側）のサイド片６が形成され、このサイド片６の両側に上下方向に沿う折り目部６ａ、６ｂが形成されている。
【００１３】
他方（左側）のサイド片７は、表装片２の自由端側（図３の左端側）に連設され、このサイド片７の端部に係止片８が連設されている。サイド片７の両側には、上下方向に沿う折り目部７ａ、７ｂが形成されている。
係止片８には、係止段部８ａが形成されており、この係止片８に対応して、裏装片３には係止孔９が円弧状のスリットとして形成されている。この係止片８を係止孔９に差し込むことによって、表装片２と裏装片３とが結束状態に連結され、この連結状態を係止段部８ａが抜け止め保持するように構成されている。なお、係止片８を係止孔９に差し込んで止める代わりに、粘着シールや粘着テープで止めたり、接着剤で接着したり、熱シールで止めるようにしてもよい。
【００１４】
上部中間片４は、裏装片３の上端に上方側へ連設されており、その間に天井部片４ａが形成され、この天井部片４ａの上下両側に左右方向に沿う折り目部４ｂ、４ｃが形成されている。天井部片４ａの左右方向中央部には、フック１０の装着孔４ｄが形成されている。なお、本実施形態では、別体のフック１０を装着孔４ｄに装着するようにした場合を例示しているが、これに制約されるものではなく、他の吊り下げ構造を採用することができ、例えば、裏装片３や上部中間片４に切り起こし可能な形状のフックあるいはフック状の切り欠き、貫通孔や係止片を形成しておいてもよい。
【００１５】
上部中間片４には、円弧状の舌状片４ｅが切り起こし可能な状態で形成されている。この舌状片４ｅの形成位置は、上部中間片４の左右方向中央部で天井部片４ａに近接させて包装状態では舌先が下向きとなるように形成されている。
下部中間片５は、裏装片３の下端に下方側へ連設されており、その間に左右方向に沿う折り目部５ａが形成されている。この下部中間片５は、裏装片３の下辺の左右方向寸法と同等の左右方向寸法の上辺と、この上辺から下方に左右両辺が次第に幅狭となる下辺とをもつ倒立台形板状に形成されており、上下方向寸法は、裏装片３の上下方向寸法より少し小さめ（例えば、１ｃｍ〜１．５ｃｍ程度）小さくされている。
【００１６】
表装片２は、左右方向寸法を前記裏装片３と同等とし、上下方向寸法を裏装片３と同等若しくは、裏装片３よりも大きい寸法とされている。
裏装片３は、左右方向に長い長方形板状とされ、この左右方向寸法（長辺寸法）は、包装対象となる衣類の上部の包装時の横幅寸法と同等乃至大きめ（例えば、ガードルの場合：２０ｃｍ程度）とされ、上下方向寸法（短辺寸法）は、当該衣類のウエストバンド部の通常の帯幅（例えば、ガードルの場合：１ｃｍ〜３ｃｍ）よりも大きめ（例えば、ガードルの場合：５ｃｍ程度）とされている。
【００１７】
左右のサイド片６，７は、上下方向寸法を裏装片３の上下方向寸法と同等とし、左右で同一高さ位置とし、しかも、裏装片３とも同一高さ位置となるように形成されている。
左右のサイド片６，７の左右方向寸法（横幅）は、左右で同一とされ、当該衣類の包装時の厚さ分程度の寸法（例えば、ガードルの場合：０．５ｃｍ程度）とされている。
係止片８は、サイド片７の上下方向寸法よりも次第に小さくなるように緩やかな傾斜辺として形成され、途中に係止段部８ａが形成されている。
表装片２は、上辺が左右方向に平行（水平）な直線縁とされ、左右両辺が上下方向に平行（垂直）な折り目部６ａ、７ｂで区画され、下辺が曲線の飾り縁とされている。
【００１８】
上部中間片４は、左右方向寸法を裏装片３と同一とされ、裏装片３から上方に一連に連続して左右方向に長い長方形板状に延長形成されており、天井部片４ａも同じ左右方向寸法とされている。この上部中間片４の上下方向寸法は、裏装片３の上下方向寸法と同等乃至小さめとされている。天井部片４ａの上下方向寸法は、当該衣類の包装時の厚さ分程度の寸法とされ、左右のサイド片６，７の左右方向寸法（横幅）と同一とされている。
表装片２の表側には、図３に示すように、包装対象となる衣類の特性や機能等のアピール点が、図形、記号、文字（ロゴマーク、商標、キャッチフレーズ等）の何れか、或いは、これらの組み合わせで印刷、ラベル貼付等で表示されている。例えば、表装片２は、周辺を適当な色彩で着色して枠状に囲み、この枠内に衣類の特徴や機能を表すキャッチフレーズ（例えば、ガードルの場合：ヒップアップ、おなかすっきり、アウターにひびきにくい、おなかスタイリッシュ、ジャストウエスト、ジャストフィット、美尻、美腹、その他）と共に着用状態のカラー写真や図形乃至記号を円形枠、四角形枠、その他種々の形状枠内に表示し、それらの表示部に機能（ヒップアップの方向を示す矢印や、腹部の締付方向を示す矢印など）を異なる色彩で表示し、さらに、それらの形状枠内とは別の背景色で地色部を構成することができる。
【００１９】
表装片２の下辺は、前記図形、記号、文字の何れか、或いは、これらの組み合わせ表示態様によって形成される飾り縁からなる輪郭形状となり、例えば、本実施形態例の場合では、緩やかな凹凸曲線形状の飾り縁とされている。
裏装片３の表側と、上部中間片４の表側とには、包装対象となる衣類の他の情報（例えば、商品名、素材、サイズ、特徴・機能、洗濯時や着用時等の取扱注意事項、製造販売元等）を印刷、ラベル貼付等で表示される。この場合、上部中間片４への情報の表示は、上下倒立状態で表示しておくもので、これにより、包装状態では正立状態で表示されて顧客への情報伝達に適したものとすることができる。
【００２０】
本発明の衣類用パッケージ１は、以上の構成からなるもので、要するに、全体が１枚のシートで構成され、上部をフック１０で吊り下げ可能とされた衣類用パッケージ１であって、上下方向に沿う折り目部６ａ、６ｂを介して左右方向に折り曲げ可能に連設された表装片２と裏装片３とを有し、前記裏装片３の上下に左右方向に沿う折り目部４ｂ、４ｃ、５ａを介して上下方向に折り曲げ可能に連設された上部中間片４と下部中間片５とを備え、前記下部中間片５は、衣類Ａの上端側を裏装片３側に折り込み状態で挟持するように折り曲げられ、かつ、前記上部中間片４は、前記下部中間片５の上から衣類Ａの上端側を押圧挟持するように折り曲げられ、前記表装片２と裏装片３とは、前記上下部中間片４，５で挟持された衣類Ａを表裏から挟持した状態で前記折り目部６ａ、６ｂから折り曲げて裏面側で連結保持可能とされている。
【００２１】
この構成によれば、衣類Ａを次の順序で包装することができる。
即ち、図４に示すように、裏装片３を左、表装片２を右にしてシート全体を展開状態で作業台上に裏向きにして載置する。
そして、図１、図２に示すように、下部中間片５を上向きに折り上げ、その上に包装対象となる衣類Ａを載せ、衣類Ａの上端側を裏装片３と下部中間片５との間に折り込み状態で挟み込んで挟持させる。
次に、上部中間片４を下向きに折り下げて衣類Ａの上端側の折り返し部分を押さえる。
【００２２】
最後に、表装片２を左側に向けて折り曲げて上部中間片４を押さえ込み、表装片２の自由端部の係止片８を裏装片３の裏面側に折り曲げて係止孔９に差し込んで止めて結束状態に連結保持させる。
これで包装が完了する。この包装によって、図２に示すように、衣類Ａは、上端側において、下部中間片５の上端に折り曲げ状態で係止され、かつ、下部中間片５を中間として裏装片３と上部中間片４とで挟持され、その上から表装片２で押さえ込まれることになる。
【００２３】
従って、本発明の衣類用パッケージ１は、包装作業がし易く、包装した衣類Ａのずれや包装形態の崩れも防止できる。
前記上部中間片４には、前記下部中間片５の上縁を裏面側に跨いで衣類Ａを押圧挟持させるための舌状片４ｅが切り起こし可能な状態で形成されているため、この舌状片４ｅによって衣類Ａの上端側の折り返し部分を裏装片３側から押圧力を付加して舌状片４ｅの切り起こし跡の窓孔部４ｆ（図２、図１参照）に衣類Ａの一部を押し込んだ状態で押圧挟持させることができるため、包装した衣類Ａのずれや包装形態の崩れを一層よく防止させることができる。
【００２４】
前記表装片２は、左右方向寸法を前記裏装片３と同等とし、上下方向寸法を裏装片３と同等若しくは、裏装片３よりも大きい寸法とされているため、上下部中間片４，５及び裏装片３を表装片２で覆い隠すことができ、包装形態の美観向上や特性表示面積の増加が図れる。
前記表装片２の表側には、衣類Ａの特性や機能等のアピール点が、図形、記号、文字の何れか、或いは、これらの組み合わせで表示されているため、当該衣類Ａの特性や機能等のアピール点を顧客に的確に伝えることができる。
【００２５】
前記衣類Ａは、図５に示すように、下着であり、上部となるウエスト部が横幅方向に扁平に展開した状態で下部中間片５に前記折り込み状態で挟持され、衣類Ａの下部が前記表装片２の下端から露出垂下した状態で吊り下げ可能とされているため、衣類Ａ（下着）の全体形状を顧客が容易に目視確認することができる状態に陳列展示することができ、触感や伸縮性、縫製状態等の確認も容易となり、その場合でも衣類Ａのずれや包装形態の崩れも確実に防止することができる。
本発明の衣類用パッケージ１は、以上の実施形態からなるが、本発明は、この実施形態にのみ制約されるものではなく、適宜、変更して実施することができる。例えば、舌状片４ｅは、上部中間片４の左右方向中央部に形成した場合を例示しているが、左右方向寸法の長い衣類の場合では、上部中間片４の左右方向の２箇所以上に設けておいてもよい。また、下着として、ガードルに適用した場合を例示しているが、パンツ類（婦人用、男性用を含む）や他の衣類に適用することができる。
【図面の簡単な説明】
【００２６】
【図１】本発明に係る衣類用パッケージの表装片を展開した状態の斜視図である。
【図２】本発明に係る衣類用パッケージの中央縦断側面図である。
【図３】本発明に係る衣類用パッケージの展開状態の表面図である。
【図４】本発明に係る衣類用パッケージの展開状態の裏面図である。
【図５】本発明に係る衣類用パッケージの包装形態の一例を示す正面図である。
【符号の説明】
【００２７】
１    衣類用パッケージ
２    表装片
３    裏装片
４    上部中間片
５    下部中間片
６    サイド片
７    サイド片
８    係止片
９    係止孔
１０    フック
Ａ    衣類
【図１】
2008273528.tif 000003
【図２】
2008273528.tif 000004
【図３】
2008273528.tif 000005
【図４】
2008273528.tif 000006
【図５】
2008273528.tif 000007